(57)【要約】【課題】  特定の太陽光発電装置によって発電される特定発電量の予測精度を向上させることができる技術を提供する。【解決手段】  発電量予測装置は、特定の太陽光発電装置の発電容量である特定発電容量と、特定の太陽光発電装置の設置に関連する特定設置情報と、を受信する第１の受信部と、特定の太陽光発電装置とは異なる１個以上の太陽光発電装置の発電容量である基準発電容量と、１個以上の太陽光発電装置の設置に関連する基準設置情報と、１個以上の太陽光発電装置の過去の発電量である発電量実績情報と、過去の気象情報と、を受信する第２の受信部と、特定の気象情報を受信する第３の受信部と、基準発電容量、基準設置情報、１個以上の太陽光発電装置の発電量実績情報、過去の気象情報、特定発電容量、特定設置情報、及び、特定の気象情報を利用して、特定発電量を予測する発電量予測部と、を備える。【選択図】図６
2019047584.tif 000002
【特許請求の範囲】
【請求項１】
特定の太陽光発電装置によって発電される特定発電量を予測する発電量予測装置であって、
前記特定の太陽光発電装置の発電容量である特定発電容量と、前記特定の太陽光発電装置の設置に関連する特定設置情報と、を受信する第１の受信部と、
前記特定の太陽光発電装置とは異なる１個以上の太陽光発電装置の発電容量である基準発電容量と、前記１個以上の太陽光発電装置の設置に関連する基準設置情報と、前記１個以上の太陽光発電装置の過去の発電量である発電量実績情報と、前記発電量実績情報に対応する過去の気象情報と、を受信する第２の受信部と、
特定の気象情報を受信する第３の受信部と、
前記基準発電容量、前記基準設置情報、前記発電量実績情報、前記過去の気象情報、前記特定発電容量、前記特定設置情報、及び、前記特定の気象情報を利用して、前記特定発電量を予測する発電量予測部と、
を備える発電量予測装置。
【請求項２】
前記基準設置情報及び前記特定設置情報は、前記太陽光発電装置が設置されている方角を示す設置方角、及び、前記太陽光発電装置が設置されている角度を示す設置角度のうちの少なくとも１個の情報を含む、請求項１に記載の発電量予測装置。
【請求項３】
前記基準設置情報は、前記１個以上の太陽光発電装置の設置場所である基準設置場所を含み、
前記特定設置情報は、前記特定の太陽光発電装置の設置場所である特定設置場所を含み、
前記発電量予測装置は、さらに、
前記特定設置場所、及び、地図情報を利用して、前記特定の太陽光発電装置への日照条件である特定日照条件を特定する第１の日照条件特定部と、
前記基準設置場所、及び、前記地図情報を利用して、前記１個以上の太陽光発電装置への日照条件である基準日照条件を特定する第２の日照条件特定部と、を備え、
前記発電量予測部は、前記基準発電容量、前記基準設置情報、前記発電量実績情報、前記過去の気象情報、前記特定発電容量、前記特定設置情報、前記特定の気象情報、前記基準日照条件、及び、前記特定日照条件を利用して、前記特定発電量を予測する、請求項１または２に記載の発電量予測装置。
【請求項４】
発電量予測システムであって、
請求項１から３のいずれか一項に記載の前記発電量予測装置と、
前記特定の太陽光発電装置から電力を供給されて動作する熱機器と、を備え、
前記発電量予測装置は、さらに、
前記１個以上の太陽光発電装置が設置されている家屋の機器の過去の使用電力量である使用電力量情報を受信する第４の受信部と、
前記１個以上の太陽光発電装置の使用電力量情報を利用して、前記特定の太陽光発電装置が設置されている特定の家屋の機器によって使用される予測使用電力量を予測する使用電力量予測部と、
前記特定発電量と前記予測使用電力量に基づいて、予測余剰電力量を予測する余剰電力量予測部と、
前記予測余剰電力量を前記熱機器に送信する予測余剰電力量送信部と、を備え、
前記熱機器は、
前記発電量予測装置から、前記予測余剰電力量を受信する第５の受信部と、
前記予測余剰電力量に基づいて、前記熱機器の動作を制御する動作制御部と、
を備える、発電量予測システム。
【発明の詳細な説明】
【技術分野】
【０００１】
本明細書で開示する技術は、発電量予測装置に関する。
【背景技術】
【０００２】
特許文献１には、特定の太陽光の予測照度を予測し、予測照度を利用して、特定の太陽光発電装置によって発電される特定発電量を予測する発電量予測部を備える発電量予測装置が開示されている。
【先行技術文献】
【特許文献】
【０００３】
【特許文献１】特開２０１０−２３９８５６号公報
【発明の概要】
【発明が解決しようとする課題】
【０００４】
特許文献１の発電量予測装置は、１日の実際の発電量（以下では、「実発電量」と呼ぶ）と特定発電量を比較することで、特定発電量の予測精度を向上させている。具体的には、発電量予測装置は、実発電量と特定発電量を利用して、１日の天気が晴れ又は曇りのいずれであったのかを特定する。そして、発電量予測装置は、１日の天気が晴れであったと特定する場合、実発電量と特定発電量を利用して、発電量予測部による発電量の予測方法を修正する。また、発電量予測装置は、１日が曇りであったと特定される場合、実際の照度と予測された照度を利用して、予測照度の予測方法を修正する。
【０００５】
上述のように、特許文献１の発電量予測装置は、太陽光発電装置による過去の実発電量を利用して、特定発電量の予測精度を向上させている。この場合、太陽光発電装置を設置してからある程度の期間が経過した後でないと、発電量予測装置は、太陽光発電装置の特定発電量を予測することができない。
【０００６】
本明細書では、発電量予測装置が、特定の太陽光発電装置によって発電される特定発電量の予測精度を向上させることができる技術を提供する。
【課題を解決するための手段】
【０００７】
本明細書に開示する発電量予測装置は、特定の太陽光発電装置によって発電される特定発電量を予測する。発電量予測装置は、前記特定の太陽光発電装置の発電容量である特定発電容量と、前記特定の太陽光発電装置の設置に関連する特定設置情報と、を受信する第１の受信部と、前記特定の太陽光発電装置とは異なる１個以上の太陽光発電装置の発電容量である基準発電容量と、前記１個以上の太陽光発電装置の設置に関連する基準設置情報と、前記１個以上の太陽光発電装置の過去の発電量である発電量実績情報と、前記発電量実績情報に対応する過去の気象情報と、を受信する第２の受信部と、特定の気象情報を受信する第３の受信部と、前記基準発電容量、前記基準設置情報、前記発電量実績情報、前記過去の気象情報、前記特定発電容量、前記特定設置情報、及び、前記特定の気象情報を利用して、前記特定発電量を予測する発電量予測部と、を備える。
【０００８】
上記の構成によると、発電量予測装置は、１個以上の太陽光発電装置の発電量実績情報を利用して、特定の太陽光発電装置の特定発電量を適切に予測することができる。例えば、発電量予測装置は、特定設置情報と基準設置情報を利用して、１個以上の太陽光発電装置の中から、特定発電量の予測に適した太陽光発電装置を抽出する。また、発電量予測装置は、抽出済みの太陽光発電装置の発電量実績情報の中から、特定の気象情報と一致する過去の気象情報に対応する発電量実績情報を抽出する。また、発電量予測装置は、抽出済みの発電量実績情報、特定発電容量、及び、抽出済みの発電量実績情報に対応する太陽光発電装置の基準発電容量を利用して、特定発電量を予測することができる。上記の構成によると、発電量予測装置は、１個以上の太陽光発電装置の発電量実績情報を利用して、特定の太陽光発電装置の発電量実績情報を利用せずに、特定発電量を適切に予測することができる。このため、発電量予測装置は、特定の太陽光発電装置の発電量実績情報を利用しなくても、特定発電量を予測することができる。従って、特定の太陽光発電装置が設置された直後であっても、特定発電量を予測することができる。
【０００９】
基準設置情報及び特定設置情報は、太陽光発電装置が設置されている方角を示す設置方角、及び、太陽光発電装置が設置されている角度を示す設置角度のうちの少なくとも１個の情報を含んでもよい。
【００１０】
太陽光発電装置によって発電される発電量は、太陽光発電装置の設置方角、設置角度の影響を受ける。上記の構成によると、発電量予測装置は、太陽光発電装置の設置方角、及び、設置角度のうちの少なくとも１個の情報を利用することで、特定発電量の予測精度を向上させることができる。
【００１１】
基準設置情報は、１個以上の太陽光発電装置の設置場所である基準設置場所を含み、特定設置情報は、特定の太陽光発電装置の設置場所である特定設置場所を含んでもよい。発電量予測装置は、さらに、特定設置場所、及び、地図情報を利用して、特定の太陽光発電装置への日照条件である特定日照条件を特定する第１の日照条件特定部と、基準設置場所、及び、地図情報を利用して、１個以上の太陽光発電装置への日照条件である基準日照条件を特定する第２の日照条件特定部と、を備えてもよい。発電量予測部は、基準発電容量、基準設置情報、発電量実績情報、過去の気象情報、特定発電容量、特定設置情報、特定の気象情報、基準日照条件、及び、特定日照条件を利用して、特定発電量を予測してもよい。
【００１２】
太陽光発電装置が設置されている家屋の設置場所によって、太陽光発電装置の日照条件は異なる。例えば、太陽光発電装置が設置されている家屋の近くに高層の建物が存在する場合の日照条件は、家屋の近くに高層の建物が存在しない場合の日照条件よりも悪い。太陽光発電装置によって発電される発電量は、日照条件の影響を受ける。上記の構成によると、発電量予測装置は、基準日照条件、及び、特定日照条件を利用することで、特定発電量の予測精度を向上させることができる。
【００１３】
本明細書に開示する発電量予測システムは、特定の太陽光発電装置によって発電される特定発電量を予測する発電量予測装置と、特定の太陽光発電装置から電力を供給されて動作する熱機器と、を備えてもよい。発電量予測装置は、さらに、１個以上の太陽光発電装置が設置されている家屋の機器の過去の使用電力量である使用電力量情報を受信する第４の受信部と、１個以上の太陽光発電装置の使用電力量情報を利用して、特定の太陽光発電装置が設置されている特定の家屋の機器によって使用される予測使用電力量を予測する使用電力量予測部と、特定発電量と予測使用電力量に基づいて、予測余剰電力量を予測する余剰電力量予測部と、予測余剰電力量を熱機器に送信する予測余剰電力量送信部と、を備えてもよい。熱機器は、発電量予測装置から、予測余剰電力量を受信する第５の受信部と、予測余剰電力量に基づいて、熱機器の動作を制御する動作制御部と、を備えてもよい。
【００１４】
上記の構成によると、熱機器は、発電量予測装置から、熱機器が利用可能な予測余剰電力量を受信する。このため、熱機器は、特定の太陽光発電装置の発電量のうち、余剰電力量を利用して熱機器を動作させることができる。従って、特定の太陽光発電装置の発電量を有効に利用することができる。
【図面の簡単な説明】
【００１５】
【図１】実施例の発電量予測システムの構成図である。
【図２】実施例の設備システムの電力系統を模式的に示す図。
【図３】実施例の電力量情報の一例である。
【図４】実施例の装置テーブルの一例である。
【図５】実施例において、設定アプリの起動時のシーケンス図である。
【図６】実施例において、発電量予測サーバが実行する処理のフローチャートである。
【図７】実施例の予測発電量、予測使用電力量、及び、予測余剰電力量の一例である。
【図８】実施例において、給湯システムが実行する処理のフローチャートである。
【発明を実施するための形態】
【００１６】
（実施例）
図１〜図３を参照して、本実施例に係る発電量予測システム２について説明する。図１に示すように、発電量予測システム２は、設備システム４と、携帯端末１００と、給湯管理サーバ２００と、電力管理サーバ３００と、発電量予測サーバ４００と、を備える。
【００１７】
（設備システム４の構成）
設備システム４は、給湯システム１０と、電気機器４０と、太陽光発電装置５０と、蓄電装置６０と、電力管理装置７０と、無線ＬＡＮルータ６と、を備える。給湯システム１０、電気機器４０、太陽光発電装置５０、蓄電装置６０、電力管理装置７０、及び、無線ＬＡＮルータ６は、同じ家屋に設置されている。
【００１８】
給湯システム１０は、タンクユニット１２と、ＨＰ（ヒートポンプ）ユニット１４と、ガスユニット１６と、給湯制御部２０と、リモコン３０と、を備える。給湯システム１０には、給湯システム１０を識別するための識別情報「ＡＡＡ」が割り当てられている。識別情報は、例えば、給湯システム１０の製造番号である。給湯システム１０は、無線ＬＡＮルータ６を介してインターネット８にアクセス可能である。
【００１９】
タンクユニット１２は、給湯用の温水をタンク（図示省略）に蓄えるとともに、タンクに蓄えられた水を給湯箇所（例えば、浴槽など）に供給するための供給ユニットである。タンクには、給湯経路が接続されており、給湯経路を介して、給湯箇所に温水が供給される。本実施例のタンクの容量は、例えば１００リットルである。
【００２０】
ＨＰユニット１４は、ヒートポンプ（図示省略）を駆動させることで、外気から吸熱してタンク内の水を加熱するための加熱ユニットである。ヒートポンプとタンクは、蓄熱循環経路を介して接続されている。蓄熱循環経路は、タンク内の水を、ヒートポンプとタンクとの間で循環させる。これにより、タンク内の水が、ヒートポンプにおいて加熱されて、タンクユニット１２のタンクに戻される。
【００２１】
ガスユニット１６は、バーナ（図示省略）を用いて、給湯経路を流れる水を加熱する加熱ユニットである。ガスユニット１６は、タンクユニット１２から給湯箇所に至る給湯経路の途中に設けられている。
【００２２】
給湯制御部２０は、ＣＰＵ、ＲＯＭ、ＲＡＭ等を備える。ＲＯＭには各種の運転プログラムが格納されている。ＲＡＭには、給湯制御部２０に入力される各種信号や、ＣＰＵが処理を実行する過程で生成される種々のデータが一時的に記憶される。給湯制御部２０は、ＣＰＵがＲＯＭ、ＲＡＭに記憶された情報に基づいて処理を実行することで、各ユニット（タンクユニット１２、ＨＰユニット１４、ガスユニット１６）の動作を制御して、給湯システム１０に後述する沸き上げ運転、湯張り運転等を実行させることができる。
【００２３】
リモコン３０は、スイッチやボタンなどを介して、ユーザからの各種の操作入力を受け入れる。各種の入力とは、例えば、後述する湯張り運転を給湯システム１０に実行させるための指示である。
【００２４】
電気機器４０は、電力を消費して駆動する機器であり、例えば、エアコン、洗濯機、電子レンジなどである。
【００２５】
太陽光発電装置５０は、太陽光を受光することによって発電する装置である。蓄電装置６０は、太陽光発電装置５０が発電した電力のうち、給湯システム１０および電気機器４０（以下では、総称して電力消費機器と呼ぶ場合がある）で使われずに余った電力を蓄える。
【００２６】
電力管理装置７０は、例えば、ＨＥＭＳ（Home Energy Management System）コントローラである。電力管理装置７０は、無線ＬＡＮルータ６を介して、給湯システム１０、電気機器４０、太陽光発電装置５０、及び、蓄電装置６０と通信可能である。電力管理装置７０は、太陽光発電装置５０の発電量、及び、電力消費機器の使用電力量を管理する。電力管理装置７０は、２４時間毎（例えば、時刻が１：００になる毎）に、太陽光発電装置５０の発電量情報と、電力消費機器の使用電力量情報と、設備システム４が設置されている住所と、を含む電力量情報を電力管理サーバ３００に送信する。図３に示すように、発電量情報は、太陽光発電装置５０の１時間毎の発電量Ｗ１であり、使用電力量情報は、電力消費機器の１時間毎の使用電力量Ｗ２である。
【００２７】
続いて、図２を参照して、設備システム４が設置されている家屋の電力系統について説明する。給湯システム１０及び電気機器４０には、分電盤８２から電力が供給される。分電盤８２には、商用電源８０が接続されている。分電盤８２には、太陽光発電装置５０および蓄電装置６０が接続されている。分電盤８２と太陽光発電装置５０の間には、ＤＣＡＣコンバータ（直流−交流変換器）を備えるＰＣＵ（パワーコントロールユニット）８６ａが設けられている。また、分電盤８２と蓄電装置６０の間には、ＰＣＵ８６ｂが設けられている。太陽光発電装置５０が発電した直流電力、又は、蓄電装置６０の直流電力は、ＰＣＵ８６ａ、８６ｂによって、交流電力に変換され、分電盤８２に供給される。ＰＣＵ８６ａ、８６ｂから供給される電力では、電力消費機器の使用電力を賄うのに不十分な場合、不足分の電力は商用電源８０からの電力で補われる。また、太陽光発電装置５０の発電電力が電力消費機器の使用電力を上回る場合、余剰の電力は蓄電装置６０に蓄えられる。
【００２８】
図１に戻って、給湯制御部２０によって実行される沸き上げ運転、湯張り運転について説明する。
【００２９】
（沸き上げ運転）
沸き上げ運転は、タンクユニット１２のタンク内の水を加熱するための運転である。給湯制御部２０は、ＨＰユニット１４のヒートポンプを駆動させることで、タンク内の水を目標沸き上げ温度まで加熱する。タンク内の所定量の水が加熱されると、沸き上げ運転は終了する。給湯制御部２０は、目標沸き上げ温度が高温（例えば、６０℃）である高温沸き上げ運転と、目標沸き上げ温度が通常温度（例えば、４５℃）である通常沸き上げ運転を実行可能である。なお、タンクがヒートポンプで加熱された水で満たされている状態を「満蓄状態」と呼ぶ。
【００３０】
（湯張り運転）
湯張り運転は、給湯箇所である浴槽に温水を供給するための運転である。給湯制御部２０は、ヒートポンプを駆動させることで、タンク内の水を加熱し、給湯設定温度に加熱された水を浴槽に供給する。なお、給湯制御部２０は、タンクから浴槽に供給される水の温度が給湯設定温度（例えば、４０℃）よりも低い場合、ガスユニット１６のバーナを駆動させることで、給湯設定温度に加熱された水を給湯箇所に供給する。浴槽に所定量の温水が供給されると湯張り運転は終了する。
【００３１】
（携帯端末１００の構成）
携帯端末１００は、携帯電話、スマートフォン等の可搬型の端末装置である。携帯端末１００は、インターネット８にアクセス可能である。携帯端末１００は、表示部１０２と、端末制御部１１０と、を備える。表示部１０２は、様々な情報を表示するためのディスプレイであり、いわゆるタッチパネル（即ち操作部）としても機能する。端末制御部１１０は、ＣＰＵ１１２と、メモリ１１４と、を備える。ＣＰＵ１１２は、メモリ１１４に記憶されているプログラムに従って、携帯端末１００の動作を制御する。メモリ１１４には、設定アプリ１１６が格納されている。設定アプリ１１６は、例えば、インターネット８上のサーバ（図示省略）から携帯端末１００にインストールされる。設定アプリ１１６は、給湯システム１０の製造元によって提供されるアプリケーションである。設定アプリ１１６は、太陽光発電装置５０の発電電力を利用して、給湯システム１０を動作させるためのアプリケーションである。携帯端末１００は、設備システム４が設置されている家屋の住人によって利用される端末である。
【００３２】
（給湯管理サーバ２００の構成）
給湯管理サーバ２００は、給湯システム１０の製造元によって提供されるサーバである。給湯管理サーバ２００は、携帯端末１００と発電量予測サーバ４００との間の通信、及び、給湯システム１０と発電量予測サーバ４００との間の通信を仲介するためのサーバである。
【００３３】
（電力管理サーバ３００の構成）
電力管理サーバ３００は、電力管理装置７０の製造元によって提供されるサーバである。電力管理サーバ３００は、複数の家庭のそれぞれに設置されている電力管理装置と通信可能である。電力管理サーバ３００は、複数の家庭のそれぞれに設置されている電力管理装置と発電量予測サーバ４００との間の電力量情報の通信を仲介するためのサーバである。電力管理サーバ３００は、電力管理装置から受信される電力量情報を、発電量予測サーバ４００に送信する。
【００３４】
（発電量予測サーバ４００）
発電量予測サーバ４００は、太陽光発電装置によって発電される予測発電量Ｗ３（図７（ａ）参照）、及び、電力消費機器の予測使用電力量Ｗ４（図７（ａ）参照）を予測するサーバである。発電量予測サーバ４００は、さらに、予測余剰電力量Ｗ５（図７（ｂ）参照）を予測するサーバでもある。発電量予測サーバ４００は、サーバ制御部４１０を備えている。サーバ制御部４１０は、メモリ４１２を備える。サーバ制御部４１０は、メモリ４１２に格納されているプログラム（図示省略）に従って動作する。メモリ４１２は、装置テーブル４２０、地図情報４３０を格納する。図４に示すように、装置テーブル４２０は、複数のシステム情報４２２で構成されている。システム情報４２２では、ユーザ情報４２４と、給湯情報４２６と、発電装置情報４２８と、が対応付けられる。ユーザ情報４２４には、住所と、家族構成と、が含まれている。給湯情報４２６は、給湯システムの識別情報である。発電装置情報４２８には、太陽光発電装置の発電容量、設置方角、及び、設置角度が含まれている。
【００３５】
（ユーザ情報、給湯情報、発電装置情報の登録処理；図５）
続いて、図５を参照して、システム情報４２２が発電量予測サーバ４００のメモリ４１２の装置テーブル４２０に登録される際に実行される登録処理について説明する。図５では、設備システム４が設置されている家屋の住人（以下では、「特定の家屋の住人」と呼ぶ）が、システム情報４２２を登録する場合を例に説明する。図５の初期状態では、装置テーブル４２０に、設備システム４に対応するシステム情報４２２が登録されていない。
【００３６】
Ｔ１０において、設定アプリ１１６を起動させるための操作が特定の家屋の住人によって携帯端末１００に実行される。この場合、携帯端末１００は、設定アプリ１１６を起動し、システム情報４２２を入力するための画面を表示部１０２に表示する。そして、Ｔ１２において、システム情報４２２が特定の家屋の住人によって入力されると、携帯端末１００は、Ｔ１４において、Ｔ１２で入力されたシステム情報４２２（以下では、「特定のシステム情報」と呼ぶ）を、給湯管理サーバ２００に送信する。特定の家屋の住人は、ユーザ情報４２４として、住所＝Ａ県Ｂ市Ｃ町１番、家族構成＝４人（子供２人）を入力し、給湯情報４２６として、識別情報＝ＡＡＡを入力し、発電装置情報４２８として、発電容量＝４［ｋＷ］、設置方角＝南南東、設置角度＝３０°を入力する。
【００３７】
Ｔ１６において、携帯端末１００は、電力量情報送信指示を、電力管理サーバ３００に送信する。電力量情報送信指示は、電力管理サーバ３００に、設備システム４内の電力管理装置７０から受信した電力量情報を発電量予測サーバ４００に送信することを指示するための信号である。電力管理サーバ３００は、電力量情報送信指示を受信した後において、電力管理装置７０から電力量情報を受信する毎に、当該電力量情報を発電量予測サーバ４００に送信する。即ち、登録処理は、電力管理サーバ３００に、電力管理装置７０から受信した電力量情報を発電量予測サーバ４００に送信することを許可するための処理でもある。
【００３８】
給湯管理サーバ２００は、Ｔ１４において、特定のシステム情報を受信し、Ｔ２０において、特定のシステム情報を給湯管理サーバ２００のメモリ（図示省略）に保存し、Ｔ２２において、特定のシステム情報を発電量予測サーバ４００に送信する。
【００３９】
発電量予測サーバ４００は、Ｔ２２において、特定のシステム情報を受信すると、Ｔ３０において、特定のシステム情報をメモリ４１２の装置テーブル４２０に登録する。これにより、装置テーブル４２０に、給湯システム１０に対応するユーザ情報４２４、給湯情報４２６、及び、発電装置情報４２８が登録される（図１参照）。
【００４０】
（電力量情報の蓄積処理）
続いて、発電量予測サーバ４００のサーバ制御部４１０によって実行される電力量情報の蓄積処理について説明する。サーバ制御部４１０は、装置テーブル４２０のユーザ情報４２４内の複数の住所のそれぞれに設置されている複数の電力管理装置のそれぞれから、２４時間毎に、電力管理サーバ３００を介して、前日の電力量情報（即ち、発電量情報、使用電力量情報、住所）を受信する。また、サーバ制御部４１０は、前日の電力量情報を受信すると、気象情報が登録されているインターネット８上のサーバ（図示省略）から、電力量情報に含まれる住所の地域の前日の気象情報を取得する。そして、サーバ制御部４１０は、前日の電力量情報と、前日の気象情報と、システム情報４２２と、を対応付けて、メモリ４１２に蓄積（保存）する。具体的には、サーバ制御部４１０は、電力量情報内の住所とユーザ情報４２４内の住所が一致する電力量情報とシステム情報４２２を対応付けて、メモリ４１２に蓄積する。サーバ制御部４１０は、上述の処理を、電力管理サーバから受信する複数の電力量情報のそれぞれに対して実施する。従って、１個のシステム情報４２２には、複数の発電量情報及び複数の使用電力量情報が対応付けられる。
【００４１】
（発電量予測サーバが実行する処理；図６）
続いて、図６を参照して、発電量予測サーバ４００のサーバ制御部４１０によって実行される処理について説明する。サーバ制御部４１０は、予測発電量Ｗ３、予測使用電力量Ｗ４、及び、予測余剰電力量Ｗ５を予測する。なお、以下では、設備システム４に対応する予測発電量Ｗ３、予測使用電力量Ｗ４、及び、予測余剰電力量Ｗ５を予測する場合を例に説明する。
【００４２】
Ｓ１０において、サーバ制御部４１０は、所定時刻（例えば、１：３０）が到来することを監視する。所定時刻が到来する場合に、サーバ制御部４１０は、Ｓ１０でＹＥＳと判断し、処理はＳ１２に進む。
【００４３】
Ｓ１２において、サーバ制御部４１０は、気象情報が登録されているインターネット８上のサーバ（図示省略）からユーザ情報４２４内の住所の地域の１日の気象情報を取得する。
【００４４】
Ｓ１４において、サーバ制御部４１０は、設備システム４の太陽光発電装置５０によって発電される予測発電量Ｗ３を予測する。予測発電量Ｗ３は、１時間毎の電力量のデータである。サーバ制御部４１０は、Ｓ１２で取得した１日の気象情報、ユーザ情報４２４内の住所、発電装置情報４２８、及び、メモリ４１２に蓄積されている電力量情報内の発電量情報を利用して、予測発電量Ｗ３を予測する。
【００４５】
予測発電量Ｗ３の予測方法の一例を説明する。まず、サーバ制御部４１０は、ユーザ情報４２４内の住所（Ａ県Ｂ市Ｃ町１番）とメモリ４１２内の地図情報４３０を利用して、太陽光発電装置５０の日照条件を特定する。なお、装置テーブル４２０に登録されている太陽光発電装置５０以外の太陽光発電装置の日照条件については特定済みである。サーバ制御部４１０は、地図情報４３０を利用して、太陽光発電装置５０が設置されている家屋の周囲に高層の建物が無いかなどを判定し、太陽光発電装置５０の日照条件を特定する。次いで、サーバ制御部４１０は、太陽光発電装置５０の設置方角、設置角度、及び、日照条件と一致又は類似するシステム情報４２２（即ち、太陽光発電装置）を特定する。次いで、サーバ制御部４１０は、特定したシステム情報４２２に対応付けられている発電量情報のうち、Ｓ１２で取得した気象情報と一致する気象情報が対応付けられている発電量情報を特定する。即ち、Ｓ１２で取得した気象情報が晴れの場合は、晴れに対応する発電量情報を特定する。次いで、サーバ制御部４１０は、特定した発電量情報に対応する太陽光発電装置（以下では、「非特定の太陽光発電装置」）の発電容量と太陽光発電装置の５０の発電容量を利用して、特定した発電量情報を補正する。なお、上述の処理によって特定される発電量情報は、複数個であることが想定される。次いで、サーバ制御部４１０は、特定した複数の発電量情報を平均等の処理を実行して、予測発電量Ｗ３を算出する。
【００４６】
Ｓ１６において、サーバ制御部４１０は、設備システム４の予測使用電力量Ｗ４を予測する。具体的には、サーバ制御部４１０は、Ｓ１２で受信した１日の気象情報、ユーザ情報４２４内の家族構成、及び、メモリ４１２に蓄積されている電力量情報内の使用電力量情報を利用して、予測使用電力量Ｗ４を予測する（図７（ａ）参照）。
【００４７】
予測使用電力量Ｗ４の予測方法の一例を説明する。サーバ制御部４１０は、設備システム４の家族構成（４人（子供２人））と同じ家族構成を含むシステム情報４２２を特定する。サーバ制御部４１０は、特定したシステム情報４２２に対応付けられている使用電力量情報のうち、Ｓ１２で取得した気象情報と一致する気象情報が対応付けられている使用電力量情報を特定する。なお、上述の処理によって特定される使用電力量情報は、複数個であることが想定される。サーバ制御部４１０は、特定した複数の使用電力量情報を平均化等の処理を実行して、予測使用電力量Ｗ４を予測する。
【００４８】
Ｓ１８において、サーバ制御部４１０は、予測余剰電力量Ｗ５を予測する。サーバ制御部４１０は、Ｓ１４で予測した予測発電量Ｗ３からＳ１６で予測した予測使用電力量Ｗ４を減算することで、予測余剰電力量Ｗ５を予測する（図７（ｂ）参照）。
【００４９】
Ｓ２０において、サーバ制御部４１０は、Ｓ１８で特定した予測余剰電力量Ｗ５及び識別情報「ＡＡＡ」を、給湯管理サーバ２００に送信する。この場合、給湯管理サーバ２００は、識別情報「ＡＡＡ」が割り当てられている給湯システム１０に予測余剰電力量Ｗ５を送信することを決定する。そして、給湯管理サーバ２００は、無線ＬＡＮルータ６を介して、予測余剰電力量Ｗ５を給湯システム１０に送信する。なお、上述の予測発電量Ｗ３の予測（Ｓ１２）及び予測使用電力量Ｗ４の予測（Ｓ１４）を、人工知能によって対応させてもよい。
【００５０】
（給湯システムが実行する処理；図８）
続いて、図８を参照して、給湯システム１０の給湯制御部２０が、予測余剰電力量Ｗ５を利用して実行する処理について説明する。給湯制御部２０は、給湯システム１０の電源がＯＮされる場合に、図８の処理を開始する。
【００５１】
Ｓ４０において、給湯制御部２０は、給湯管理サーバ２００及び無線ＬＡＮルータ６を介して、予測余剰電力量Ｗ５を発電量予測サーバ４００から受信することを監視する。給湯制御部２０は、予測余剰電力量Ｗ５を受信すると、Ｓ４０でＹＥＳと判断し、処理はＳ５０に進む。
【００５２】
Ｓ５０において、給湯制御部２０は、特定電力量Ｗ６が最大使用電力量よりも大きいか否かを判断する。本実施例において、特定電力量Ｗ６は、１３：００以降の予測余剰電力量Ｗ５の合計の電力量である。また、最大使用電力量は、高温沸き上げ運転を実行して、タンクを満蓄状態にするために必要な電力量である。給湯制御部２０は、特定電力量Ｗ６が最大使用電力量よりも大きい場合に、Ｓ５０でＹＥＳと判断し、処理はＳ５２に進む。一方、給湯制御部２０は、特定電力量Ｗ６が最大使用電力量以下である場合に、Ｓ５０でＮＯと判断し、処理はＳ６０に進む。
【００５３】
Ｓ５２において、給湯制御部２０は、第１の沸き上げ条件を設定する。沸き上げ条件は、目標沸き上げ温度と、目標沸き上げ量と、沸き上げ開始時刻と、を含む。給湯制御部２０は、目標沸き上げ温度を６０℃に設定し、目標沸き上げ量を１００リットルに設定する。また、給湯制御部２０は、所定時刻から予測余剰電力量Ｗ５がゼロになる時刻（以下では、「終了時刻」と呼ぶ）の間の電力量の合計が最大使用電力量よりも大きくなる所定時刻のうち、最も遅い時刻を沸き上げ開始時刻に設定する。例えば、図７（ｂ）では、１７：００が終了時刻である。そして、給湯制御部２０は、１５：００〜１７：００の間の合計の電力量が最大使用電力量以下であり、１４：００〜１７：００の間の合計の電力量が最大使用電力量よりも大きい場合、沸き上げ開始時刻を「１４：００」に設定する。
【００５４】
また、Ｓ６０において、給湯制御部２０は、特定電力量Ｗ６が通常使用電力量よりも大きいか否かを判断する。通常使用電力量は、通常沸き上げ運転を実行して、タンクを満蓄状態にするために必要な電力量である。給湯制御部２０は、特定電力量Ｗ６が通常使用電力量よりも大きい場合に、Ｓ６０でＹＥＳと判断し、処理はＳ６２に進む。一方、給湯制御部２０は、特定電力量Ｗ６が通常使用電力量以下である場合に、Ｓ６０でＮＯと判断し、処理はＳ７０に進む。
【００５５】
Ｓ６２において、給湯制御部２０は、第２の沸き上げ条件を決定する。給湯制御部２０は、目標沸き上げ温度を４５℃に設定し、目標沸き上げ量を１００リットルに設定する。また、給湯制御部２０は、Ｓ５２の処理と同様に、所定時刻から終了時刻の間の合計の電力量が通常使用電力量よりも大きくなる時刻のうち、最も遅い時刻を沸き上げ開始時刻に設定する。
【００５６】
また、Ｓ７０において、給湯制御部２０は、特定電力量Ｗ６が最小使用電力量未満か否かを判断する。最小使用電力量は、ヒートポンプを最小消費電力で動作させた場合の電力量である。給湯制御部２０は、特定電力量Ｗ６が最小使用電力量以上である場合に、Ｓ７０でＮＯと判断し、処理はＳ７２に進む。一方、給湯制御部２０は、特定電力量Ｗ６が最小使用電力量未満である場合に、Ｓ７０でＹＥＳと判断し、処理はＳ４０に戻る。
【００５７】
Ｓ７２において、給湯制御部２０は、第３の沸き上げ条件を決定する。給湯制御部２０は、目標沸き上げ温度を４５℃に設定し、沸き上げ運転開始時刻を「１３：００」に設定する。また、給湯制御部２０は、特定電力量Ｗ６で沸き上げ可能な水量を目標沸き上げ量に設定する。
【００５８】
Ｓ８０において、給湯制御部２０は、沸き上げ開始時刻が到来することを監視する。給湯制御部２０は、沸き上げ開始時刻が到来すると、Ｓ８０でＹＥＳと判断し、Ｓ８２において、沸き上げ運転を開始する。
【００５９】
Ｓ８４において、給湯制御部２０は、沸き上げ運転が終了することを監視する。給湯制御部２０は、目標沸き上げ温度まで加熱された水量が目標沸き上げ量に達すると、Ｓ８４でＹＥＳと判断し、処理はＳ４０に戻る。
【００６０】
上述のように、発電量予測サーバ４００は、装置テーブル４２０内の住所、設置方角、及び設置角度を利用して、太陽光発電装置５０の予測発電量Ｗ３に適する複数のシステム情報４２２を抽出する。また、発電量予測サーバ４００は、抽出したシステム情報４２２に対応付けられている複数の発電量情報の中から、１日の気象情報と一致する気象情報に対応付けられている複数の発電量情報を抽出する。また、発電量予測サーバ４００は、抽出済みの複数の発電量情報、抽出済みの複数の発電量情報に対応する太陽光発電装置の発電容量、及び、太陽光発電装置５０の発電容量を利用して、太陽光発電装置５０によって発電される予測発電量Ｗ３を予測する。このため、発電量予測サーバ４００は、太陽光発電装置５０とは異なる太陽光発電装置の発電量情報を利用して、太陽光発電装置５０の予測発電量Ｗ３を適切に予測することができる。即ち、発電量予測サーバ４００は、太陽光発電装置５０の発電量情報を利用しなくても、太陽光発電装置５０の予測発電量Ｗ３を適切に予測することができる。従って、発電量予測サーバ４００は、太陽光発電装置５０が設置された直後であっても、太陽光発電装置５０によって発電される予測発電量Ｗ３を予測することができる。
【００６１】
太陽光発電装置によって発電される発電量は、太陽光発電装置の設置方角、設置角度の影響を受けやすい。発電量予測サーバ４００は、太陽光発電装置の設置方角、及び、設置角度のうちの少なくとも１個の情報を利用することで、太陽光発電装置５０の予測発電量Ｗ３の予測精度を向上させることができる。
【００６２】
また、太陽光発電装置が設置されている家屋の住所によって、太陽光発電装置の日照条件は異なる。例えば、太陽光発電装置が設置されている家屋の近くに高層の建物が存在する場合の日照条件は、家屋の近くに高層の建物が存在しない場合の日照条件よりも悪い。太陽光発電装置によって発電される発電量は、日照条件の影響を受ける。発電量予測サーバ４００は、太陽光発電装置５０とは異なる太陽光発電装置の日照条件、及び、太陽光発電装置５０の日照条件を利用することで、太陽光発電装置５０の予測発電量Ｗ３の予測精度を向上させることができる。
【００６３】
また、給湯システム１０は、発電量予測サーバ４００から、給湯システム１０が利用可能な予測余剰電力量Ｗ５を受信する（図８のＳ４０でＹＥＳ）。このため、給湯システム１０は、太陽光発電装置５０の発電量のうち、余剰電力量を利用して熱機器を動作させることができる。従って、太陽光発電装置５０の発電量を有効に利用することができる。
【００６４】
（対応関係）
太陽光発電装置５０、発電量予測サーバ４００、太陽光発電装置５０とは異なる太陽光発電装置が、それぞれ、「特定の太陽光発電装置」、「発電量予測装置」、「特定の太陽光発電装置とは異なる１個以上の太陽光発電装置」の一例である。予測発電量Ｗ３が、「特定発電量」の一例である。図６のＳ１２で取得する気象情報が、「特定の気象情報」の一例である。住所が、「設置場所」の一例である。給湯システム１０が、「熱機器」の一例である。
【００６５】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００６６】
（変形例１）装置テーブル４２０には、住所、設置角度、及び、設置情報のうちの１個以上の情報が登録されていればよい。
【００６７】
（変形例２）発電量予測サーバ４００は、予測使用電力量Ｗ４及び予測余剰電力量Ｗ５を予測しなくてもよい。この場合、発電量予測サーバ４００は、予測発電量Ｗ３を、給湯管理サーバ２００及び無線ＬＡＮルータ６を介して、給湯システム１０に送信すればよい。この場合、給湯システム１０は、無線ＬＡＮルータ６を介して、電力管理装置７０から予測使用電力量Ｗ４‘を取得すればよい。そして、給湯システム１０は、予測発電量Ｗ３から予測使用電力量Ｗ４‘を減算することで、予測余剰電力量Ｗ５’を特定し、図８の処理を実行してもよい。
【００６８】
（変形例３）発電量予測サーバ４００は、新設予定の太陽光発電装置の予測発電量を予測可能に構成されていてもよい。
【００６９】
（変形例４）電力管理装置７０が、太陽光発電装置５０の予測発電量Ｗ３を予測してもよい。この場合、電力管理装置７０は、電力管理サーバ３００から、電力量情報を受信すればよい。
【００７０】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７１】
２      ：発電量予測システム
４      ：設備システム
６      ：無線ＬＡＮルータ
８      ：インターネット
１０    ：給湯システム
１２    ：タンクユニット
１４    ：ＨＰユニット
１６    ：ガスユニット
２０    ：給湯制御部
３０    ：リモコン
４０    ：電気機器
５０    ：太陽光発電装置
６０    ：蓄電装置
７０    ：電力管理装置
８０    ：商用電源
８２    ：分電盤
１００  ：携帯端末
１０２  ：表示部
１１０  ：端末制御部
１１２  ：ＣＰＵ
１１４  ：メモリ
１１６  ：設定アプリ
２００  ：給湯管理サーバ
３００  ：電力管理サーバ
４００  ：発電量予測サーバ
４１０  ：サーバ制御部
４１２  ：メモリ
４２０  ：装置テーブル
４２２  ：システム情報
４２４  ：ユーザ情報
４２６  ：給湯情報
４２８  ：発電装置情報
４３０  ：地図情報
【図１】
2019047584.tif 000003
【図２】
2019047584.tif 000004
【図３】
2019047584.tif 000005
【図４】
2019047584.tif 000006
【図５】
2019047584.tif 000007
【図６】
2019047584.tif 000008
【図７】
2019047584.tif 000009
【図８】
2019047584.tif 000010